(57)【要約】【課題】基地局装置から移動局装置へ効率の良い送信タイミング情報の通知を行なう。【解決手段】  基地局装置が移動局装置に複数セルを割り当て、基地局装置と移動局装置が複数セルを介して通信を行ない、複数セルは、第一セルと同じ上りリンク送信タイミングの第二セルから構成される第一の送信タイミンググループと、第一セルの上りリンク送信タイミングと異なる同じ上りリンク送信タイミングの第二セルから構成される第二の送信タイミンググループとにグループ化され、基地局装置は、送信タイミンググループの情報を移動局装置に予め送信し、送信タイミング情報を含む送信タイミングメッセージを複数セルの中の１つのセルを介して移動局装置に送信し、移動局装置は、送信タイミンググループの情報に基づき、送信タイミングメッセージを受信した１つのセルが属する送信タイミンググループ内のセルに対して、送信タイミング情報を適用する。【選択図】図１
2012191466.tif 000002
【特許請求の範囲】
【請求項１】
基地局装置が移動局装置に複数セルを割り当て、前記基地局装置と前記移動局装置が前記複数セルを介して通信を行なう無線通信システムであって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置は、前記送信タイミンググループの情報を前記移動局装置に予め送信し、送信タイミング情報を含む送信タイミングメッセージを前記複数セルの中の１つのセルを介して前記移動局装置に送信し、
前記移動局装置は、前記送信タイミンググループの情報に基づき、前記送信タイミングメッセージを受信した前記１つのセルが属する前記送信タイミンググループ内のセルに対して、前記送信タイミング情報を適用することを特徴とする無線通信システム。
【請求項２】
請求項１記載の無線通信システムであって、
前記送信タイミング情報を適用する前記送信タイミンググループ内の前記セルは、アクティベートセルであることを特徴とする無線通信システム。
【請求項３】
基地局装置が移動局装置に複数セルを割り当て、前記基地局装置と前記移動局装置が前記複数セルを介して通信を行なう無線通信システムであって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置は、前記送信タイミンググループの情報と前記基地局装置が送信タイミングメッセージを送信するセル情報を前記移動局装置に予め送信し、送信タイミング情報を含む送信タイミングメッセージを前記複数セルの中の１つのセルを介して前記移動局装置に送信し、
前記移動局装置は、前記１つのセルを介して前記送信タイミングメッセージを受信し、前記１つのセルが前記送信タイミング情報を送信するセルと同じ場合、前記送信タイミンググループの情報に基づき、前記１つのセルが属する前記送信タイミンググループ内のセルに対して、前記送信タイミング情報を適用することを特徴とする無線通信システム。
【請求項４】
請求項３記載の無線通信システムであって、
前記送信タイミング情報を適用する前記送信タイミンググループ内の前記セルは、アクティベートセルであることを特徴とする無線通信システム。
【請求項５】
移動局装置に複数セルを割り当て、前記移動局装置と前記複数セルを介して通信を行なう基地局装置であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記送信タイミンググループの情報を前記移動局装置に予め送信し、前記送信タイミンググループに基づいて送信タイミング情報を含む送信タイミングメッセージを前記複数セルの中の１つのセルを介して前記移動局装置に送信することを特徴とする基地局装置。
【請求項６】
移動局装置に複数セルを割り当て、前記移動局装置と前記複数セルを介して通信を行なう基地局装置であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記送信タイミンググループの情報と前記基地局装置が送信タイミングメッセージを送信するセル情報を前記移動局装置に予め送信し、前記送信タイミンググループに基づいて送信タイミング情報を含む送信タイミングメッセージを前記複数セルの中の１つのセルを介して前記移動局装置に送信することを特徴とする基地局装置。
【請求項７】
基地局装置から複数セルを割り当てられ、前記基地局装置と前記複数セルを介して通信を行なう移動局装置であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置から送信タイミンググループの情報を予め受信し、前記複数セルの１つのセルを介して送信タイミング情報を含む送信タイミングメッセージを受信した場合、前記送信タイミンググループの情報に基づき、前記１つのセルが属する前記送信タイミンググループ内のセルに対して、前記送信タイミング情報を適用することを特徴とする移動局装置。
【請求項８】
請求項７記載の移動局装置であって、
前記送信タイミンググループ内のアクティベートセルに対して、前記送信タイミング情報を適用することを特徴とする移動局装置。
【請求項９】
基地局装置から複数セルを割り当てられ、前記基地局装置と前記複数セルを介して通信を行なう移動局装置であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置から送信タイミンググループの情報と基地局装置が送信タイミング情報を含む送信タイミングメッセージを送信するセル情報を予め受信し、前記複数セルの１つのセルを介して送信タイミングメッセージを受信し、前記１つのセルが前記送信タイミング情報を送信するセルと同じ場合、前記送信タイミンググループの情報に基づき、前記１つのセルが属する前記送信タイミンググループ内のセルに対して、前記送信タイミング情報を適用することを特徴とする移動局装置。
【請求項１０】
請求項９記載の移動局装置であって、
前記送信タイミンググループ内のアクティベートセルに対して、前記送信タイミング情報を適用することを特徴とする移動局装置。
【請求項１１】
基地局装置が移動局装置に複数セルを割り当て、前記基地局装置と前記移動局装置が前記複数セルを介して通信を行なう無線通信システムに適用される無線通信方法であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置は、前記送信タイミンググループの情報を前記移動局装置に予め送信するステップと、送信タイミング情報を含む送信タイミングメッセージを前記複数セルの中の１つのセルを介して前記移動局装置に送信するステップと、
前記移動局装置は、前記送信タイミンググループの情報に基づき、前記１つのセルが属する前記送信タイミンググループ内のアクティベートセルに対して、前記送信タイミング情報を適用するステップとを少なくとも含むことを特徴とする無線通信方法。
【請求項１２】
基地局装置が移動局装置に複数セルを割り当て、前記基地局装置と前記移動局装置が前記複数セルを介して通信を行なう無線通信システムに適用される無線通信方法であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置は、前記送信タイミンググループの情報と前記基地局装置が送信タイミングメッセージを送信するセル情報を前記移動局装置に予め送信するステップと、送信タイミング情報を含む送信タイミングメッセージを前記複数セルの中の１つのセルを介して前記移動局装置に送信するステップと、
前記移動局装置は、前記１つのセルを介して前記送信タイミングメッセージを受信するステップと、前記１つのセルが前記送信タイミング情報を送信するセルと同じ場合、前記送信タイミンググループの情報に基づき、前記１つのセルが属する前記送信タイミンググループ内のアクティベートセルに対して、前記送信タイミング情報を適用するステップとを少なくとも含むことを特徴とする無線通信方法。
【請求項１３】
移動局装置に複数セルを割り当て、前記移動局装置と前記複数セルを介して通信を行なう基地局装置に適用される集積回路であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記送信タイミンググループの情報を前記移動局装置に予め送信する手段と、前記送信タイミンググループに基づいて送信タイミング情報を含む送信タイミングメッセージを前記複数セルの中の１つのセルを介して前記移動局装置に送信する手段を有することを特徴とする集積回路。
【請求項１４】
基地局装置から複数セルを割り当てられ、前記基地局装置と前記複数セルを介して通信を行なう移動局装置に適用される集積回路であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置から送信タイミンググループの情報を予め受信する手段と、前記複数セルの１つのセルを介して送信タイミング情報を含む送信タイミングメッセージを受信する手段と、前記送信タイミンググループの情報に基づき、前記１つのセルが属する前記送信タイミンググループ内のアクティベートセルに対して、前記送信タイミング情報を適用する手段を有することを特徴とする集積回路。
【請求項１５】
移動局装置に複数セルを割り当て、前記移動局装置と前記複数セルを介して通信を行なう基地局装置に適用される集積回路であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記送信タイミンググループの情報と前記基地局装置が送信タイミングメッセージを送信するセル情報を前記移動局装置に予め送信する手段と、前記送信タイミンググループに基づいて送信タイミング情報を含む送信タイミングメッセージを前記複数セルの中の１つのセルを介して前記移動局装置に送信する手段を有することを特徴とする集積回路。
【請求項１６】
基地局装置から複数セルを割り当てられ、前記基地局装置と前記複数セルを介して通信を行なう移動局装置に適用される集積回路であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、
前記基地局装置から送信タイミンググループの情報と基地局装置が送信タイミング情報を含む送信タイミングメッセージを送信するセル情報を受信する手段と、前記複数セルの１つのセルを介して送信タイミングメッセージを受信する手段と、前記１つのセルが前記送信タイミング情報を送信するセルと同じ場合、前記送信タイミンググループの情報に基づき、前記１つのセルが属する前記送信タイミンググループ内のアクティベートセルに対して、前記送信タイミング情報を適用する手段を有することを特徴とする集積回路。
【発明の詳細な説明】
【技術分野】
【０００１】
本発明は、基地局装置、移動局装置および無線通信システムに関連し、より詳細には、上りリンクの送信タイミングの通知時の動作における無線通信システム、基地局装置、移動局装置、無線通信方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化が進められている。ＥＵＴＲＡの下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式を採用している。
【０００４】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【０００５】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。基地局装置は、移動局装置に複数セルを割り当てて、割り当てたセルを介して移動局装置と通信を行なう。
【先行技術文献】
【非特許文献】
【０００６】
【非特許文献１】3GPP TS(Technical Specification)36.300、V9.40(2010-06)、Evolved Universal Terrestrial Radio Access(E-UTRA) and Evolved Universal Terrestrial Radio Access Network(E-UTRAN)、Overall description Stage2
【非特許文献２】3GPP TR(Technical Specification)36.814、V9.00(2010-03)、Evolved Universal Terrestrial Radio Access(E-UTRA) Further advancements for E-UTRA physical layer aspects
【発明の概要】
【発明が解決しようとする課題】
【０００７】
移動局装置が、複数のセルを使用して基地局装置と通信を行なう場合、リピータ（Ｒｅｐｅａｔｅｒ）などを介して基地局装置へ接続する場合がある。このような場合、移動局装置での下りリンクコンポーネントキャリアからのデータの受信タイミングは、セル毎に異なり、更に各セルの上りリンクコンポーネントキャリア毎に基地局装置への送信タイミングが異なることとなる。その為、移動局装置は、各セルの上りリンクコンポーネントキャリア毎に送信タイミングの調整を行なって、基地局装置へのデータ送信を行なう必要がある。
【０００８】
そのため、各セルの上りリンクコンポーネントキャリア毎に送信タイミング情報を通知する必要がある。しかしながら、全ての上りリンクコンポーネントキャリアの送信タイミング情報を通知することは、送信タイミングが同じ上りリンクコンポーネントキャリアが複数ある場合、同じ送信タイミング情報を複数送ることとなり無線リソースの利用効率が悪い。
【０００９】
本発明は、このような事情に鑑みてなされたものであり、上りリンクコンポーネントキャリア毎に移動局装置からのデータ送信の送信タイミングが異なる場合について、効率良く送信タイミング情報を通知し、送信タイミング情報を設定するための移動局装置、基地局装置、無線通信システム、無線通信方法及び集積回路を提供することを目的とする。
【課題を解決するための手段】
【００１０】
（１）上記の目的を達成するために、本発明は、以下のような手段を講じた。すなわち、本発明の無線通信システムは、基地局装置が移動局装置に複数セルを割り当て、前記基地局装置と前記移動局装置が前記複数セルを介して通信を行なう無線通信システムであって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置は、前記送信タイミンググループの情報を前記移動局装置に予め送信し、送信タイミング情報を含む送信タイミングメッセージを前記複数セルの中の１つのセルを介して前記移動局装置に送信し、前記移動局装置は、前記送信タイミンググループの情報に基づき、前記送信タイミングメッセージを受信した前記１つのセルが属する前記送信タイミンググループ内のセルに対して、前記送信タイミング情報を適用することを特徴とする。
【００１１】
（２）また、本発明の無線通信システムは、前記送信タイミング情報を適用する前記送信タイミンググループ内の前記セルは、アクティベートセルであることを特徴とする。
【００１２】
（３）また、本発明の無線通信システムは、基地局装置が移動局装置に複数セルを割り当て、前記基地局装置と前記移動局装置が前記複数セルを介して通信を行なう無線通信システムであって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置は、前記送信タイミンググループの情報と前記基地局装置が送信タイミングメッセージを送信するセル情報を前記移動局装置に予め送信し、送信タイミング情報を含む送信タイミングメッセージを前記複数セルの中の１つのセルを介して前記移動局装置に送信し、前記移動局装置は、前記１つのセルを介して前記送信タイミングメッセージを受信し、前記１つのセルが前記送信タイミング情報を送信するセルと同じ場合、前記送信タイミンググループの情報に基づき、前記１つのセルが属する前記送信タイミンググループ内のセルに対して、前記送信タイミング情報を適用することを特徴とする。
【００１３】
（４）また、本発明の無線通信システムは、前記送信タイミング情報を適用する前記送信タイミンググループ内の前記セルは、アクティベートセルであることを特徴とする。
【００１４】
（５）また、本発明の基地局装置は、移動局装置に複数セルを割り当て、前記移動局装置と前記複数セルを介して通信を行なう基地局装置であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記送信タイミンググループの情報を前記移動局装置に予め送信し、前記送信タイミンググループに基づいて送信タイミング情報を含む送信タイミングメッセージを前記複数セルの中の１つのセルを介して前記移動局装置に送信することを特徴とする。
【００１５】
（６）また、本発明の基地局装置は、移動局装置に複数セルを割り当て、前記移動局装置と前記複数セルを介して通信を行なう基地局装置であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記送信タイミンググループの情報と前記基地局装置が送信タイミングメッセージを送信するセル情報を前記移動局装置に予め送信し、前記送信タイミンググループに基づいて送信タイミング情報を含む送信タイミングメッセージを前記複数セルの中の１つのセルを介して前記移動局装置に送信することを特徴とする。
【００１６】
（７）また、本発明の移動局装置は、基地局装置から複数セルを割り当てられ、前記基地局装置と前記複数セルを介して通信を行なう移動局装置であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置から送信タイミンググループの情報を予め受信し、前記複数セルの１つのセルを介して送信タイミング情報を含む送信タイミングメッセージを受信した場合、前記送信タイミンググループの情報に基づき、前記１つのセルが属する前記送信タイミンググループ内のセルに対して、前記送信タイミング情報を適用することを特徴とする。
【００１７】
（８）また、本発明の移動局装置は、前記送信タイミンググループ内のアクティベートセルに対して、前記送信タイミング情報を適用することを特徴とする。
【００１８】
（９）また、本発明の移動局装置は、
基地局装置から複数セルを割り当てられ、前記基地局装置と前記複数セルを介して通信を行なう移動局装置であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置から送信タイミンググループの情報と基地局装置が送信タイミング情報を含む送信タイミングメッセージを送信するセル情報を予め受信し、前記複数セルの１つのセルを介して送信タイミングメッセージを受信し、前記１つのセルが前記送信タイミング情報を送信するセルと同じ場合、前記送信タイミンググループの情報に基づき、前記１つのセルが属する前記送信タイミンググループ内のセルに対して、前記送信タイミング情報を適用することを特徴とする。
【００１９】
（１０）また、本発明の移動局装置は、前記送信タイミンググループ内のアクティベートセルに対して、前記送信タイミング情報を適用することを特徴とする。
【００２０】
（１１）また、本発明の無線通信方法は、基地局装置が移動局装置に複数セルを割り当て、前記基地局装置と前記移動局装置が前記複数セルを介して通信を行なう無線通信システムに適用される無線通信方法であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置は、前記送信タイミンググループの情報を前記移動局装置に予め送信するステップと、送信タイミング情報を含む送信タイミングメッセージを前記複数セルの中の１つのセルを介して前記移動局装置に送信するステップと、前記移動局装置は、前記送信タイミンググループの情報に基づき、前記１つのセルが属する前記送信タイミンググループ内のアクティベートセルに対して、前記送信タイミング情報を適用するステップとを少なくとも含むことを特徴とする。
【００２１】
（１２）また、本発明の無線通信方法は、基地局装置が移動局装置に複数セルを割り当て、前記基地局装置と前記移動局装置が前記複数セルを介して通信を行なう無線通信システムに適用される無線通信方法であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置は、前記送信タイミンググループの情報と前記基地局装置が送信タイミングメッセージを送信するセル情報を前記移動局装置に予め送信するステップと、送信タイミング情報を含む送信タイミングメッセージを前記複数セルの中の１つのセルを介して前記移動局装置に送信するステップと、前記移動局装置は、前記１つのセルを介して前記送信タイミングメッセージを受信するステップと、前記１つのセルが前記送信タイミング情報を送信するセルと同じ場合、前記送信タイミンググループの情報に基づき、前記１つのセルが属する前記送信タイミンググループ内のアクティベートセルに対して、前記送信タイミング情報を適用するステップとを少なくとも含むことを特徴とする。
【００２２】
（１３）また、本発明の集積回路は、移動局装置に複数セルを割り当て、前記移動局装置と前記複数セルを介して通信を行なう基地局装置に適用される集積回路であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記送信タイミンググループの情報を前記移動局装置に予め送信する手段と、前記送信タイミンググループに基づいて送信タイミング情報を含む送信タイミングメッセージを前記複数セルの中の１つのセルを介して前記移動局装置に送信する手段を有することを特徴とする。
【００２３】
（１４）また、本発明の集積回路は、基地局装置から複数セルを割り当てられ、前記基地局装置と前記複数セルを介して通信を行なう移動局装置に適用される集積回路であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置から送信タイミンググループの情報を予め受信する手段と、前記複数セルの１つのセルを介して送信タイミング情報を含む送信タイミングメッセージを受信する手段と、前記送信タイミンググループの情報に基づき、前記１つのセルが属する前記送信タイミンググループ内のアクティベートセルに対して、前記送信タイミング情報を適用する手段を有することを特徴とする。
【００２４】
（１５）また、本発明の集積回路は、移動局装置に複数セルを割り当て、前記移動局装置と前記複数セルを介して通信を行なう基地局装置に適用される集積回路であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記送信タイミンググループの情報と前記基地局装置が送信タイミングメッセージを送信するセル情報を前記移動局装置に予め送信する手段と、前記送信タイミンググループに基づいて送信タイミング情報を含む送信タイミングメッセージを前記複数セルの中の１つのセルを介して前記移動局装置に送信する手段を有することを特徴とする。
【００２５】
（１６）また、本発明の集積回路は、基地局装置から複数セルを割り当てられ、前記基地局装置と前記複数セルを介して通信を行なう移動局装置に適用される集積回路であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの第二セルから構成される第一の送信タイミンググループと、前記第一セルの上りリンク送信タイミングと異なる同じ上りリンク送信タイミングの第二セルから構成される第二の送信タイミンググループとにグループ化され、前記基地局装置から送信タイミンググループの情報と基地局装置が送信タイミング情報を含む送信タイミングメッセージを送信するセル情報を受信する手段と、前記複数セルの１つのセルを介して送信タイミングメッセージを受信する手段と、前記１つのセルが前記送信タイミング情報を送信するセルと同じ場合、前記送信タイミンググループの情報に基づき、前記１つのセルが属する前記送信タイミンググループ内のアクティベートセルに対して、前記送信タイミング情報を適用する手段を有することを特徴とする。
【発明の効果】
【００２６】
本発明によれば、各セルにおいて上りリンク送信タイミングが異なる場合に、１つ送信タイミンググループに対して１つの送信タイミング情報を通知するだけで良く、送信タイミング情報の通知のために無駄な無線リソースを使用しなくて済む。
【図面の簡単な説明】
【００２７】
【図１】本発明の実施形態に係る移動局装置の構成を示す図である。
【図２】本発明の実施形態に係る基地局装置の構成を示す図である。
【図３】本発明の実施形態に係るセルの構成例を示す図である。
【図４】送信タイミングメッセージ受信時の移動局装置の動作例を示すフローチャートである。
【図５−１】本発明の実施形態に係るセルの構成例を示す図である。
【図５−２】本発明の実施形態に係るセルの構成例を示す図である。
【図６】送信タイミングメッセージ受信時の移動局装置の動作例を示すフローチャートである。
【図７】ＥＵＴＲＡにおけるチャネル構成を示す図である。
【図８】ＥＵＴＲＡにおける上りリンクの構成を示す図である。
【図９】Contention based Random Accessの手順を示す図である。
【図１０】Non-contention based Random Accessの手順を示す図である。
【図１１】送信タイミングの更新手順を示す図である。
【図１２】Ａｄｖａｎｃｅｄ−ＥＵＴＲＡにおける下りリンクのコンポーネントキャリアについての説明図である。
【図１３】Ａｄｖａｎｃｅｄ−ＥＵＴＲＡにおける上りリンクのコンポーネントキャリアについての説明図である。
【図１４】基地局装置と移動局装置がリピータを介して通信する例を示す図である。
【発明を実施するための形態】
【００２８】
［第１の実施形態］
ＥＵＴＲＡの下りリンクでは、下りリンク参照信号（Downlink Reference Signal）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Channel）により構成されている。
【００２９】
ＥＵＴＲＡの上りリンクでは、上りリンク参照信号（Uplink Reference Signal）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている。また、上りリンク参照信号には、復調用参照信号（Demodulation Reference Signal）と測定用参照信号（Sounding Reference Signal）の2種類の信号がある。
【００３０】
図７は、ＥＵＴＲＡにおけるチャネル構成を示す図であり、図８は、ＥＵＴＲＡにおける上りリンクの構成を示す図である。１ブロックは、１２本のサブキャリアと７つのＯＦＤＭシンボルから構成される。そして、２つのブロックを使用して、１リソースブロック（Resource Block：RB）を構成する。上りリンク共用チャネルＰＵＳＣＨと上りリンク制御チャネルＰＵＣＣＨは、１リソースブロック単位で使用される。ランダムアクセスチャネルＲＡＣＨは、６リソースブロック分を使用して構成される。
【００３１】
上りリンク参照信号は、リソースブロック内の特定のＯＦＤＭシンボルに配置される。上りリンクの各チャネルは、図８のように上りリンク共用チャネルＰＵＳＣＨの領域と上りリンク制御チャネルＰＵＣＣＨの領域とランダムアクセスチャネルＲＡＣＨとが分けられている。上りリンク共用チャネルＰＵＳＣＨと上りリンク制御チャネルＰＵＣＣＨの各領域に関する情報は、基地局装置から報知される。また、基地局装置は、各領域の中から移動局装置個別に上りリンク共用チャネルＰＵＳＣＨと上りリンク制御チャネルＰＵＣＣＨの無線リソースを割り当てる。尚、ランダムアクセスチャネルＲＡＣＨは、一定の周期で配置される。
【００３２】
下りリンク共用チャネルＰＤＳＣＨは、基地局装置から移動局装置へのユーザーデータや制御データの送信に使用される。下りリンク制御チャネルＰＤＣＣＨは、基地局装置から移動局装置への下りリンク共用チャネルＰＤＳＣＨと上りリンク共用チャネルＰＵＳＣＨの無線リソース割り当て情報などの制御情報通知に使用される。下りリンク参照信号は、下りリンク共用チャネルＰＤＳＣＨと下りリンク制御チャネルＰＤＣＣＨを復調するために使用される。下りリンク同期チャネルＤＳＣＨは、移動局装置が下りリンクの同期を取るために使用される。報知チャネルＰＢＣＨは、基地局装置のセルのシステム情報に関する情報を通知するために使用される。
【００３３】
上りリンク共用チャネルＰＵＳＣＨは、移動局装置から基地局装置へのユーザーデータや制御データの送信に使用される。尚、上りリンク共用チャネルＰＵＳＣＨと下りリンク共用チャネルＰＤＳＣＨで送受信されるデータは、ＨＡＲＱ（Hybrid Automatic Repeat reQuset）処理が行われ、再送時に初送データと再送データを合成処理することで再送時のデータの誤り訂正能力を向上させている。上りリンク制御チャネルＰＵＣＣＨは、基地局装置からの下りリンクのデータに対する応答（ＡＣＫ(Acknowledge)/ＮＡＣＫ(Negative acknowledge)）や下りリンクの無線伝搬路品質情報などの制御情報を通知する為に使用される。
【００３４】
ランダムアクセスチャネルＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。上りリンク参照信号の復調用参照信号は、基地局装置が上りリンク共用チャネルＰＵＳＣＨを復調するために使用され、上りリンク共用チャネルＰＵＳＣＨの４番目のシンボル位置と１１番目のシンボル位置に挿入される。上りリンク参照信号の測定用参照信号は、基地局装置が上りリンクの無線伝搬路品質を測定するために使用され、上りリンク共用チャネルＰＵＳＣＨの１４番目のシンボル位置に挿入される。尚、測定用参照信号を送信するための無線リソースは、基地局装置から移動局装置個別に割り当てられる。
【００３５】
ランダムアクセス手順には、Contention based Random Access（競合ベースランダムアクセス）とNon-contention based Random Access（非競合ベースランダムアクセス）の２つのアクセス手順がある（非特許文献１）。
【００３６】
図９は、Contention based Random Accessの手順を示す図である。Contention based Random Accessは、移動局装置間で衝突する可能性のあるランダムアクセス手順であり、Contention based Random Accessは、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００３７】
図１０は、Non-contention based Random Accessの手順を示す図である。Non-contention based Random Accessは、移動局装置間で衝突が発生しないランダムアクセス手順であり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセス手順を開始する（非特許文献１）。Non-contention based Random Accessは、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００３８】
図９を用いて、Contention based Random Access手順を簡単に説明する。まず、移動局装置１−１がランダムアクセスプリアンブルを基地局装置３に送信する（メッセージ１：（１）、ステップＳ１）。そして、ランダムアクセスプリアンブルを受信した基地局装置３が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３は、（３）の上位レイヤメッセージを受信できた移動局装置１−１に衝突確認メッセージを送信する（メッセージ４：（４）、ステップＳ４）。尚、Contention based Random Accessをランダムプリアンブル送信とも言う。
【００３９】
図１０を用いて、Non-contention based Random Access手順を簡単に説明する。まず、基地局装置３は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、Contention based Random Accessを行なう。尚、Non-contention based Random Accessを専用プリアンブル送信とも言う。
【００４０】
図９及び図１１を用いて、移動局装置１−１が基地局装置３への接続手順を説明する。まず、移動局装置１−１は、報知チャネルＰＢＣＨ等から基地局装置３のシステム情報を取得し、システム情報に含まれているランダムアクセス関連情報からランダムアクセス手順を実行し基地局装置３との接続を行なう。移動局装置１−１は、システム情報のランダムアクセス関連情報等からランダムアクセスプリアンブルを生成する。そして、移動局装置１−１は、ランダムアクセスチャネルＲＡＣＨでランダムアクセスプリアンブルを送信する（メッセージ１：（１））。
【００４１】
基地局装置３は、移動局装置１−１からのランダムアクセスプリアンブルを検出すると、ランダムアクセスプリアンブルから移動局装置１−１と基地局装置３との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩ（Random Access-Radio Network Temporary Identity：ランダムアクセスレスポンス識別情報）を配置し、下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００４２】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルの情報が含まれている場合、ランダムアクセスレスポンスメッセージに含まれる送信タイミング情報から上りリンクの送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。移動局装置１−１は、送信タイミングを調整した場合に、調整した送信タイミングが有効である送信タイミングタイマーをスタートする。尚、この送信タイミングタイマーが満了すると調整した送信タイミングは無効となる。送信タイミングが有効の間、移動局装置１−１は、基地局装置へのデータ送信が可能であり、送信タイミングが無効の場合、ランダムアクセスプリアンブルの送信のみ可能である。また、送信タイミングが有効な期間を上りリンク同期状態と言い、送信タイミングが有効でない期間を上りリンク非同期状態とも言う。
【００４３】
基地局装置３は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。
【００４４】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す。そして、ランダムアクセスプリアンブルの送信回数がシステム情報で示されたランダムアクセスプリアンブルの最大送信回数を越えた場合、移動局装置１−１は、ランダムアクセス失敗と判断し、基地局装置３との通信を切断する。尚、ランダムアクセス手順成功後は、更に基地局装置３と移動局装置１−１との間で接続の為の制御データのやり取りがされる。この時、基地局装置３は、個別に割り当てる上りリンク参照信号や上りリンク制御チャネルＰＵＣＣＨの割り当て情報を移動局装置１−１に通知する。
【００４５】
ランダムアクセス手順完了以降の上りリンクの送信タイミングの更新は、図１１に示すように基地局装置３が移動局装置１−１から送信される上りリンク参照信号（測定用参照信号、または、復調用参照信号）を測定して、送信タイミング情報を算出し、算出した送信タイミング情報含む送信タイミングメッセージを移動局装置１−１に通知することで行なわれる。移動局装置１−１は、基地局装置３から通知された送信タイミング情報から上りリンクの送信タイミングを調整すると送信タイミングタイマーをリスタート（restart）する。尚、基地局装置３も移動局装置１−１と同じ送信タイミングタイマーを保持しており、送信タイミングメッセージを送信した場合に送信タイミングタイマーをスタート、または、リスタートする。このようにすることで、基地局装置３と移動局装置１−１で上りリンク同期状態を管理する。送信タイミングタイマーが満了すると送信タイミングは無効となり、ランダムアクセスプリアンブルの送信以外の上りリンク送信を停止する。
【００４６】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００４７】
図１２は、Ａｄｖａｎｃｅｄ−ＥＵＴＲＡにおける下りリンクのコンポーネントキャリアについての説明図である。図１３は、Ａｄｖａｎｃｅｄ−ＥＵＴＲＡにおける上りリンクのコンポーネントキャリアについての説明図である。
【００４８】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００４９】
つまり、基地局装置は、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell）とそれ以外のセルを第二セル（Secondary Cell）としている。第一セルには、上りリンク制御チャネルＰＵＣＣＨを割り当てや、ランダムアクセスチャネルＲＡＣＨへのアクセス許可など特別な機能を設定している。また、移動局装置の消費電力を少なくするために、割り当て直後の第二セルに対し、移動局装置は下りリンクの受信処理を行わず（または、下りリンク制御チャネルで指示された無線リソース割り当て情報に従わない）、基地局装置からアクティベート（Activate）を指示された後、アクティベートを指示された第二セルに対して下りリンクの受信処理を開始する（または、下りリンク制御チャネルで指示された無線リソース割り当て情報に従う）ようにしている。
【００５０】
また、移動局装置は、基地局装置からアクティベートしている第二セルに対してデアクティベート（deactivate）を指示された後、デアクティベートを指示された第二セルに対して下りリンクの受信処理を停止する（または、下りリンク制御チャネルで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル及びデアクティベートを指示され、下りリンクの受信処理を停止している第二セルをデアクティベートセルと言う。また、第一セルは、常にアクティベートセルである。
【００５１】
しかし、移動局装置が、複数のセルを使用して基地局装置と通信を行なう場合、図１４のようにリピータ（Ｒｅｐｅａｔｅｒ）などを介して基地局装置へ接続する場合がある。このような場合、移動局装置での下りリンクコンポーネントキャリアの受信タイミングと、上りリンクコンポーネントキャリア毎の基地局装置への送信タイミングの両方または一方がセル毎に異なることとなる。特に、上りリンクコンポーネントキャリア毎の基地局装置への送信タイミングが異なる場合、移動局装置は各セルの上りリンクコンポーネントキャリア毎に送信タイミングの調整を行なって、基地局装置へのデータ送信を行なう必要がある。
【００５２】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。
【００５３】
ユーザーデータや制御データは、送信ＨＡＲＱ処理部１０７に入力される。送信ＨＡＲＱ処理部１０７は、制御部１０９の指示により、入力データに符号化を行い、符号化したデータにパンクチャ処理を行う。そして、送信ＨＡＲＱ処理部１０７は、パンクチャしたデータを変調部１０５に出力し、符号化したデータを保存しておく。また、送信ＨＡＲＱ処理部１０７は、制御部１０９より、データの再送を指示された場合、保存されている符号化したデータに前回に行なったパンクチャと異なるパンクチャ処理を行い、パンクチャしたデータを変調部１０５に出力する。また、送信ＨＡＲＱ処理部１０７は、制御部１０９からの指示により、保存してあるデータを消去する。
【００５４】
変調部１０５は、送信ＨＡＲＱ処理部１０７からの入力データに変調を行ない、送信処理部１０３に出力する。送信処理部１０３は、制御部１０９の指示により、変調部１０５や上りリンク参照信号生成部１１１やランダムアクセスプリアンブル生成部１１３からの入力データ（または入力信号）を各セルの上りリンクコンポーネントキャリアの各チャネルにマッピングし、マッピングしたデータを直列／並列変換、ＤＦＴ−ＩＦＦＴ（Inverse Fast Fourier Transform（逆高速フーリエ変換））変換、ＣＰ挿入などのＯＦＤＭ信号処理を行い、ＯＦＤＭ信号を生成する。また、送信処理部１０３は、制御部１０９から渡される送信タイミング情報と送信タイミングを調整するセルのグループ情報から各セルの上りリンクコンポーネントキャリア毎に出力される信号の送信タイミングを調整し、送信タイミングの調整後、ＯＦＤＭ信号を無線部１０１に出力する。
【００５５】
上りリンク参照信号生成部１１１は、制御部１０９の指示により、移動局管理部１２１から取得した上りリンク参照信号生成情報から上りリンク参照信号を生成し、生成した上りリンク参照信号を送信処理部１０３に出力する。ランダムアクセスプリアンブル生成部１１３は、制御部１０９の指示により、移動局管理部１２１から取得したランダムアクセスに関する情報からランダムアクセスプリアンブルを生成し、生成したランダムアクセスプリアンブルを送信処理部１０３に出力する。
【００５６】
無線部１０１は、制御部１０９からの指示により送信処理部１０３からの入力信号を無線周波数にアップコンバートし、送信アンテナから送信する。また、無線部１０１は、アンテナより受信した無線信号をダウンコンバートし、受信処理信部１１５に出力する。受信処理部１１５は、無線部１０１からの入力信号をＦＦＴ（Fast Fourier Transform（高速フーリエ変換））処理を行ない、復調部１１７に出力する。復調部１１７は、入力データの復調処理を行い、復調したデータを受信ＨＡＲＱ処理部１１９に出力する。
【００５７】
受信ＨＡＲＱ処理部１１９は、入力データの復号処理を行い、復号処理に成功した場合、制御データを移動局管理部１２１に出力し、ユーサーデータを上位層に出力する。受信ＨＡＲＱ処理部１１９は、入力データの復号処理に失敗した場合、復号処理に失敗したデータを保存しておく。受信ＨＡＲＱ処理部１１９は、再送データを受信した場合、保存してあるデータと再送データを合成し、復号処理を行う。また、受信ＨＡＲＱ処理部１１９は、入力データの復号処理の成否を移動局管理部１２１に通知する。また、受信ＨＡＲＱ処理部１１９は、制御部１０９からの指示により、保存してあるデータを消去する。
【００５８】
制御部１０９は、移動局管理部１２１からの指示に基づいて、無線部１０１、送信処理部１０３、変調部１０５、送信ＨＡＲＱ処理部１０７、上りリンク参照信号生成部１１１、ランダムアクセスプリアンブル生成部１１３、受信処理部１１５、復調部１１７、受信ＨＡＲＱ処理部１１９の制御を行う。
【００５９】
移動局管理部１２１は、ＵＬスケジュール部１２３、制御データ作成部１２５、制御データ解析部１２７、セル管理部１２９、ＴＡ管理部１３１から構成される。制御データ作成部１２５は、受信ＨＡＲＱ処理部１１９からの受信データの復号結果からデータのＡＣＫ／ＮＡＣＫメッセージを作成し、また、下りリンクの無線品質を示すメッセージなどの制御データを作成し、作成した制御データを送信ＨＡＲＱ処理部１０７に出力する。制御データ解析部１２７は、受信ＨＡＲＱ処理部１１９から入力された制御データを解析する。制御データ解析部１２７は、基地局装置３から受信したセルのシステム情報やセルの割り当て情報やランダムアクセスレスポンスメッセージや上りリンク参照信号の生成情報をセル管理部１２９に出力し、送信タイミングメッセージや送信タイミングメッセージを取得したセルの情報や送信タイミングタイマー情報をＴＡ管理部１３１に出力する。
【００６０】
ＵＬスケジュール部１２３は、基地局装置３からの上りリンクデータのスケジューリング情報や送信した上りリンクデータの応答（ＡＣＫ／ＮＡＣＫ）をもとに制御部１０９を介して送信処理部１０３、変調部１０５、送信ＨＡＲＱ処理部１０７を制御する。また、上位層からの制御情報をもとにセル管理部１２９にランダムアクセスを開始するよう指示する。
【００６１】
セル管理部１２９は、基地局装置３から割り当てられたセルを管理し、基地局装置３から受信したセル毎の物理チャネルの構成や送信電力情報やランダムアクセスに関する情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソースを管理する。セル管理部１２９は、制御部１０９を介してランダムアクセスに関する情報をランダムアクセスプリアンブル生成部１１３に通知し、上りリンク参照信号の生成情報を上りリンク参照信号生成部１１１に通知する。セル管理部１２９は、送信タイミングが同じセルのグループ情報をＴＡ管理部１３１に通知する。セル管理部１２９は、通信の開始時や上りリンクデータのスケジュール要求を行なう場合、基地局装置３にランダムアクセスプリアンブルを送信するように、制御部１０９を介してランダムアクセスプリアンブル生成部１１３に指示する。
【００６２】
セル管理部１２９は、ＴＡ管理部１３１から送信タイミングタイマーが満了したことが通知された場合、制御部１０９を介して、送信ＨＡＲＱ処理部１０７に送信タイミングが満了したセルのＨＡＲＱ処理停止を指示し、送信タイミングが満了したセルの保存してあるデータの消去を指示し、上りリンク参照信号生成部１１１に送信タイミングが満了したセルの上りリンク参照信号の生成を停止するように指示する。また、セル管理部１２９は、送信タイミングが満了したセルの基地局装置３から割り当てられた上りリンク制御チャネルＰＵＣＣＨの無線リソースと上りリンク参照信号（測定用参照信号）の無線リソースを解放する。
【００６３】
ＴＡ管理部１３１は、セル毎または送信タイミンググループ毎の送信タイミングと送信タイミングタイマーを管理する。また、ＴＡ管理部１３１は、送信タイミングが同じとなるセルのグループ情報も管理する。ＴＡ管理部１３１は、送信タイミングメッセージと送信タイミングメッセージを受信したセルの情報を取得した場合、送信タイミングメッセージを受信したセルがどのグループに属しているか判断し、制御部１０９を介して送信タイミングメッセージに含まれる送信タイミング情報と送信タイミングを調整するセルのグループ情報を送信処理部１０３に通知し、送信タイミングタイマーをスタート、または、リスタートする。そして、ＴＡ管理部１３１は、セル管理部１２９にセル毎に送信タイミングタイマーがスタート、または、リスタートしたことを通知する。また、ＴＡ管理部１３１は、セル毎に送信タイミングタイマーが満了した場合、セル管理部１２９に対象となるセルの送信タイミングタイマーが満了したことを通知する。
【００６４】
図２は、本発明の実施形態に係る基地局装置３の構成図を示す。基地局装置３は、無線部２０１、送信処理部２０３、変調部２０５、送信ＨＡＲＱ処理部２０７、制御部２０９、下りリンク参照信号生成部２１１、プリアンブル検出部２１３、受信処理部２１５、復調部２１７、受信ＨＡＲＱ処理部２１９、基地局管理部２２１から構成される。基地局管理部２２１は、ＤＬ／ＵＬスケジュール部２２３、制御データ作成部２２５、制御データ解析部２２７、セル管理部２２９、ＴＡ管理部２３１から構成される。
【００６５】
ユーザーデータと制御データは、送信ＨＡＲＱ処理部２０７に入力される。送信ＨＡＲＱ処理部２０７は、制御部２０９の指示により、入力データに符号化を行い、符号化したデータにパンクチャ処理を行う。そして、送信ＨＡＲＱ処理部２０７は、パンクチャしたデータを変調部２０５に出力し、符号化したデータを保存する。送信ＨＡＲＱ処理部２０７は、制御部２０９より、データの再送を指示された場合、保存してある符号化したデータを取得し、前回に行なったパンクチャと異なるパンクチャ処理を行い、パンクチャしたデータを変調部２０５に出力する。送信ＨＡＲＱ処理部２０７は、制御部２０９からの指示により、保存してあるデータを消去する。
【００６６】
変調部２０５は、送信ＨＡＲＱ処理部２０７からの入力データに変調を行ない、送信処理部２０３に出力する。送信処理部２０３は、制御部２０９の指示により、変調部２０５や下りリンク参照信号生成部２１１からの入力データ（または信号）を各セルの下りリンクコンポーネントキャリアの下りリンク制御チャネルＰＤＣＣＨ、下りリンク同期チャネルＤＳＣＨ、報知チャネルＰＢＣＨ、下りリンク共用チャネルＰＤＳＣＨなどの各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。そして、送信処理部２０３は、生成したＯＦＤＭ信号を無線部２０１に出力する。
【００６７】
無線部２０１は、制御部２０９からの指示により送信処理部２０３からの入力信号を無線周波数にアップコンバートして、送信アンテナから移動局装置１−１〜１−３に送信する。また、無線部２０１は、アンテナより移動局装置１−１からの無線信号を受信し、受信信号をベースバンド信号にダウンコンバートして、受信信号を受信処理部２１５、または、プリアンブル検出部２１３に出力する。受信処理部２１５は、無線部２０１からの入力信号にＦＦＴ（Fast Fourier Transform（高速フーリエ変換））処理を行い、復調部２１７に出力する。また、受信処理部２１５は、上りリンク参照信号（測定用参照信号）から無線伝搬路品質や送信タイミングのずれ量を測定し、測定結果を基地局管理部２２１に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。復調部２１７は、入力データの復調処理を行い、復調したデータを受信ＨＡＲＱ処理部２１９に出力する。
【００６８】
受信ＨＡＲＱ処理部２１９は、入力データの復号処理を行い、復号処理に成功した場合、制御データを基地局管理部２２１に出力し、ユーサーデータを上位層に出力する。受信ＨＡＲＱ処理部２１９は、入力データの復号処理に失敗した場合、復号処理に失敗したデータを保存する。受信ＨＡＲＱ処理部２１９は、再送データを受信した場合、保存してあるデータと再送データを合成し、復号処理を行う。また、受信ＨＡＲＱ処理部２１９は、入力データの復号処理の成否を基地局管理部２２１に通知する。また、受信ＨＡＲＱ処理部２１９は、制御部２０９からの指示により、保存してあるデータを消去する。
【００６９】
プリアンブル検出部２１３は、無線部２０１から入力信号に対して、相関処理を行い、ランダムアクセスプリアンブルの検出処理を行う。ランダムアクセスプリアンブルを検出した場合、検出したランダムアクセスプリアンブルから送信タイミングずれ量を算出し、ランダムアクセスプリアンブルを検出したセルと検出したプリアンブルの情報と送信タイミングずれ量を基地局管理部２２１に通知する。制御部２０９は、基地局管理部２２１からの指示に基づいて、無線部２０１、送信処理部２０３、変調部２０５、送信ＨＡＲＱ処理部２０７、下りリンク参照信号生成部２１１、受信処理部２１５、復調部２１７、受信ＨＡＲＱ処理部２１９の制御を行う。
【００７０】
基地局管理部２２１は、下りリンク及び上りリンクのスケジュールを行なうＤＬ／ＵＬスケジュール部２２３、制御データ作成部２２５、制御データ解析部２２７、セル管理部２２９、ＴＡ管理部２３１から構成される。ＤＬ／ＵＬスケジュール部２２３は、移動局装置１−１から通知される下りリンクの無線伝搬路品質情報や上位層からの通知される各ユーザーのデータ情報や制御データ作成部２２５で作成される制御データから下りリンクの各チャネルにユーザーデータおよび制御データをマッピングする為のスケジュールを行ない、スケジュール結果を制御部２０９に渡す。また、ＤＬ／ＵＬスケジュール部２２３は、受信処理部２１５からの上りリンクの無線伝搬路品質結果と移動局装置１−１からの無線リソース割り当て要求から上りリンクの各チャネルにユーザーデータをマッピングする為のスケジュールを行なう。また、ＤＬ／ＵＬスケジュール部２２３は、プリアンブル検出部２１３からランダムアクセスプリアンブルを検出したことが通知された場合、上りリンク共用チャネルＰＵＳＣＨを割り当てて、割り当てた上りリンク共用チャネルＰＵＳＣＨとプリアンブル番号を制御データ作成部２２５に通知する。ＤＬ／ＵＬスケジュール部２２３は、ＴＡ管理部２３１から送信タイミング情報を通知された場合、移動局装置１−１の下りリンク及び上りリンクのスケジュール状況から移動局装置１−１に送信タイミング情報を通知するかどうか判定し、送信タイミング情報を通知する場合、送信タイミンググループ情報をもとに送信タイミング情報を通知するセルを決定し、ＴＡ管理部２３１に送信タイミング情報を送信することを報告し、送信タイミング情報を制御データ作成部２２５に通知する。
【００７１】
制御データ作成部２２５は、下りリンク制御チャネルＰＤＣＣＨに配置される制御データや下りリンク共用チャネルＰＤＳＣＨに配置される制御データを作成する。スケジュール情報を含んだ制御メッセージ、上りリンクデータの応答（ＡＣＫ／ＮＡＣＫ）、物理チャネルの構成情報や各チャネルの送信電力情報やランダムアクセスに関する情報などを含むシステム情報メッセージ、利用するセルの設定情報（ランダムアクセスに関する情報を含む）を含んだ初期設定メッセージ、プリアンブル番号や送信タイミング情報やスケジューリング情報を含んだランダムアクセスレスポンスメッセージ、コンテンションレゾリューションメッセージ、送信タイミング情報を含んだ送信タイミングメッセージなどの制御データを作成する。制御データ解析部２２９は、移動局装置１−１からの下りリンクデータの応答（ＡＣＫ／ＮＡＣＫ）結果により、制御部２０９を介して、送信ＨＡＲＱ処理部２０７を制御する。
【００７２】
セル管理部２２９は、各セルや各セルのシステム情報（物理チャネルの構成情報や各チャネルの送信電力情報やランダムアクセスに関する情報や送信タイミングのセル関係情報など）を管理する。また、セル管理部２２９は、移動局装置１−１〜１−３に１つ以上のセルを割り当てて、また、上りリンク参照信号（測定用参照信号）の無線リソースや上りリンク制御チャネルＰＵＣＣＨの無線リソースを割り当てる。そして、セル管理部２２９は、割り当てたセルに関する情報を通知するように制御データ作成部２２５にセルの割り当て情報やセルのシステム情報、割り当てる無線リソース情報などを渡す。
【００７３】
セル管理部２２９は、ＴＡ管理部２３１から送信タイミングタイマーが満了したことが通知された場合、制御部２０９を介して、送信ＨＡＲＱ処理部２０７に送信タイミングが満了したセルのＨＡＲＱ処理停止を指示し、送信ＨＡＲＱ記憶部２０９に送信タイミングが満了したセルの保存してあるデータの消去を指示し、移動局装置１−１に割り当てた上りリンク参照信号（測定用参照信号）の無線リソース及び上りリンク制御チャネルＰＵＣＣＨの無線リソースを解放する。
【００７４】
ＴＡ管理部２３１は、移動局装置１−１〜１−３のセル毎の送信タイミングと送信タイミングタイマーを管理する。また、ＴＡ管理部２３１は、送信タイミングが同じとなるセル関係情報も管理する。ＴＡ管理部２３１は、プリアンブル検出部２１３や受信処理部２１５から送信タイミングのずれ量を取得した場合、送信タイミング情報を作成し、ＤＬ／ＵＬスケジュール部２２３に通知する。ＴＡ管理部２３１は、ＤＬ／ＵＬスケジュール部２２３から送信タイミング情報の送信を通知されると送信タイミングタイマーをスタート、または、リスタートする。また、ＴＡ管理部２３１は、セル毎に送信タイミングタイマーが満了した場合、セル管理部２２９に対象となるセルの送信タイミングタイマーが満了したことを通知する。
【００７５】
[動作説明]
図１２、図１３で説明した基地局装置が移動局装置に複数セルを割り当て、割り当てた複数のセルを介して基地局装置と移動局装置が通信を行なう無線通信システムを想定している。また、図１４で説明した移動局装置からの送信タイミングが異なる複数のセルを介して通信を行なうような無線通信システムを想定している。
【００７６】
Ａｄｖａｎｃｅｄ−ＥＵＴＲＡでは、基地局装置は、複数あるセルの中から移動局装置の通信能力や通信条件にあった１つ以上の異なる周波数のセルを周波数毎に割り当てる。そして、移動局装置は、割り当てられたセルを介して基地局装置とデータの送受信を行なう。移動局装置が、複数のセルを使用して基地局装置と通信を行なう場合、図１４のようにリピータ（Ｒｅｐｅａｔｅｒ）などを介して基地局装置へ接続する場合がある。このような場合、移動局装置での下りリンクコンポーネントキャリアからのデータの受信タイミングは、セル毎に異なる場合がある。更に各セルの上りリンクコンポーネントキャリア毎に基地局装置への送信タイミングも異なる場合がある。上りリンクコンポーネントキャリア毎に基地局装置への送信タイミングが異なる場合、移動局装置は、各セルの上りリンクコンポーネントキャリア毎に送信タイミングの調整が必要ということになっている。
【００７７】
そのため、基地局装置は、各セルの上りリンクコンポーネントキャリア毎に送信タイミング情報を通知する必要がある。しかしながら、全ての上りリンクコンポーネントキャリアの送信タイミング情報を通知することは、送信タイミングが同じ上りリンクコンポーネントキャリアが複数ある場合、同じ送信タイミング情報を複数送ることとなり無線リソースの利用効率は悪い。
【００７８】
基地局装置は、移動局装置からの送信タイミングが同じとなるセルをグループ化（以降は、送信タイミンググループと示す。）する。そして、基地局装置は、１つのセルを第一セルに設定し、それ以外のセルを第二セルに設定する。移動局装置は、基地局装置から複数セルと送信タイミンググループを設定された後、あるセルから送信タイミング情報を取得すると送信タイミング情報を通知したセルが属する送信タイミンググループ内のすべてのセルに対して取得した送信タイミング情報を使用して上りリンクの送信タイミングを調整するようにする。このようにすることで、１つ送信タイミンググループに対して１つの送信タイミング情報を通知するだけで良く、無駄な無線リソースを使用しなくて済む。
【００７９】
尚、送信タイミンググループは、第一セルと、第一セルと同じ上りリンク送信タイミングの第二セルとから構成される第一の送信タイミンググループと、第一セルの上りリンク送信タイミングと異なる同じ上りリンク送信タイミングの第二セルから構成される第二の送信タイミンググループとに分類される。第一の送信タイミンググループは、少なくとも第一セルを含み、第二の送信タイミンググループは、少なくとも１つの第二セルを含む。
【００８０】
移動局装置１−１と基地局装置３の動作を説明する。尚、例として、基地局装置３は、図３のようにセル１〜セル５から構成されていて、セル１〜セル３は送信タイミングが同じ送信タイミンググループであり、セル４〜セル５は送信タイミングが同じ別の送信タイミンググループであるとする。
【００８１】
移動局装置１−１は、セルサーチを行い、基地局装置３の１つのセルを見つける。ここではセル１を見つけるとする。移動局装置１−１は、セル１の報知チャネルＰＢＣＨなどを受信し、システム情報（セルの物理チャネル構成や送信電力情報やランダムアクセスに関する情報など）を取得する。そして、移動局装置１−１は、システム情報に含まれるランダムアクセスに関する情報を使用して、初期アクセスのためにセル１のランダムアクセスチャネルＲＡＣＨへランダムアクセスプリアンブルを送信する。そして、移動局装置１−１は、基地局装置３からセル１に対する送信タイミング情報を含んだランダムアクセスレスポンスメッセージを取得し、ランダムアクセスレスポンスに含まれる送信タイミング情報からセル１に対する上りリンクコンポーネントキャリアの送信タイミングを調整して、送信タイミングタイマーをスタートさせる。移動局装置１−１は、セル１を介してメッセージ３を基地局装置３へ送信する。尚、移動局装置１−１は、このメッセージ３に初期アクセスを示した内容を含めてメッセージ３を送信する。そして、移動局装置１−１は、コンテンションレゾリューションを基地局装置３から受信すると競合ベースランダムアクセス手順を終了する。
【００８２】
ランダムアクセス手順が完了後、基地局装置３は、移動局装置１−１に使用させるセルを割り当て、セルの構成情報を通知する。尚、セルの構成情報は、第一セルのセル情報と送信タイミンググループに関する情報を示す。ここでは、基地局装置３は、移動局装置１−１にセル１〜セル５を割り当てて、セル１を第一セル、セル２〜セル５を第二セルに設定し、セル１〜セル３を同じ送信タイミンググループに設定し、セル４とセル５を同じ送信タイミンググループに設定している。
【００８３】
そして、基地局装置３は、移動局装置１−１に割り当てたセルのシステム情報や送信タイミンググループのグループ情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの設定情報も移動局装置１−１に通知する。尚、ここでは、上記情報を通知後、基地局装置３は、移動局装置１−１にアクティベートを指示し、セル２〜セル５に対して下りリンク受信処理を開始するように指示するとする。
【００８４】
そして、移動局装置１−１は、割り当てられたセルのシステム情報や送信タイミンググループのグループ情報を取得後、送信タイミンググループのグループ情報と取得している送信タイミング情報からセル１と同じ送信タイミンググループのセル２とセル３の上りリンクの送信タイミングを調整する。この後、移動局装置１−１と基地局装置３との間でセル１〜セル５の下りリンクコンポーネントキャリアとセル１〜セル３の上りリンクコンポーネントキャリアを介してデータのやり取りがされる。
【００８５】
移動局装置１−１からの送信データ量が多くなり、移動局装置１−１で利用していないセルがある場合、基地局装置３は、非競合ベースランダムアクセスを行うように指示するランダムアクセス指示情報を下りリンク制御チャネルＰＤＣＣＨで通知する。ここでは、基地局装置３は、セル５に対してのランダムアクセス指示情報を移動局装置１−１に通知するとする。ランダムアクセス指示情報には、プリアンブル番号とランダムアクセスチャネル番号が含まれており、移動局装置１−１は、基地局装置３から指定されたプリアンブルとランダムアクセスチャネルＲＡＣＨを使用して、ランダムアクセスプリアンブルをセル５のランダムアクセスチャネルＲＡＣＨに送信する。
【００８６】
基地局装置３は、ランダムアクセスプリアンブルを検出すると、ランダムアクセスプリアンブルから送信タイミングすれ量を算出して、移動局装置１−１にセル５の下りリンクコンポーネントキャリアを介して送信タイミング情報を含んだランダムアクセスレスポンスを通知する。移動局装置１−１は、ランダムアクセスレスポンスを受信するとランダムアクセスレスポンスに含まれている送信タイミング情報をセル５の上りリンクの送信タイミングとして調整し、更に、送信タイミング情報を同じ送信タイミンググループであるセル４の上りリンクの送信タイミングとして調整し、送信タイミングタイマーをスタートする。そして、移動局装置１−１は、非競合ベースランダムアクセス手順を完了する。この後、セル４とセル５の上りリンクコンポーネントキャリアも含めて、移動局装置１−１と基地局装置３との間でデータのやり取りを行なう。
【００８７】
移動局装置１−１は、送信タイミンググループ毎に１つの送信タイミングタイマーを持ち、送信タイミング情報を取得すると送信タイミングタイマーをスタート、またはリスタートする。基地局装置３も同様に送信タイミンググループ毎に１つの送信タイミングタイマーを持ち、送信タイミング情報を送信すると送信タイミングタイマーをスタート、またはリスタートする。送信タイミングタイマーが動作中は、上りリンク同期している（送信タイミングが有効である）状態であり、移動局装置１−１は、対象となる送信タイミンググループの上りリンクコンポーネントキャリアでの上りリンク送信が可能である。尚、送信タイミングタイマーは、セル毎に持つように構成しても良い。
【００８８】
そして、基地局装置３は、移動局装置１−１から送信された各セルの上りリンク参照信号を計測して、移動局装置１−１の送信タイミンググループ１または送信タイミンググループ２の送信タイミングずれ量を算出する。そして、各送信タイミンググループの送信タイミングが有効である期間内に送信タイミング情報を含んだ送信タイミングメッセージを移動局装置１−１に通知する。なお、送信タイミングメッセージの通知は、通知する送信タイミンググループ内のいずれか１つのセルを介して通知する。例えば、送信タイミンググループ１の送信タイミングメッセージは、セル１、セル２、セル３のいずれかのセルを介して移動局装置１−１に通知される。移動局装置１−１は、あるセルで送信タイミングメッセージを受信すると、送信タイミングメッセージが通知されたセルが属する送信タイミンググループ内のすべてのセルに対して送信タイミングメッセージに含まれる送信タイミング情報を使用して送信タイミングを調整する。例えば、移動局装置１−１は、セル１で送信タイミングメッセージを受信した場合、送信タイミングメッセージに含まれる送信タイミング情報を使用してセル１が属する送信タイミンググループ１のセル１、セル２及びセル３の送信タイミングを調整する。
【００８９】
上記では、第二セルのセル２〜セル５はアクティベートを指示され、下りリンクの受信処理を行っている状態で説明したが、アクティベートを指示されていないセル（デアクティベートセル）がある場合、デアクティベートセルに対しての送信タイミングの調整は行なわなくても良い。そして、デアクティベートセルがアクティベートを指示された場合、移動局装置１−１は、そのセルに対して送信タイミングを調整するようにする。尚、送信タイミングメッセージは、送信タイミングメッセージ単体として送られても良いし、ユーザーデータや他の制御メッセージと一緒に送られても良い。
【００９０】
また、送信タイミングの算出は、基地局装置３が、各セルで受信した上りリンク参照信号から算出しても良いし、各送信タイミンググループ内の特定のセルの上りリンク参照信号から算出しても良い。また、ある時点で算出された１つのセルの送信タイミングを通知する送信タイミングとしても良いし、各送信タイミンググループ内の各セルで測定された送信タイミングの平均値を送信タイミングとしても良い。
【００９１】
送信タイミング情報を受信した場合の移動局装置１−１の処理フローチャートを図４に示す。移動局装置１−１は、ある１つのセルを介して送信タイミングメッセージを受信した場合、送信タイミングメッセージを受信したセルが属する送信タイミンググループ内のアクティベートセルの上りリンク送信タイミングとして送信タイミングメッセージに含まれる送信タイミング情報を適用する（ステップＳ１０１）。そして、送信タイミングを設定した送信タイミンググループの送信タイミングタイマーをリスタートする（ステップＳ１０２）。
【００９２】
このように構成することで、基地局装置３は、移動局装置１−１に対して１つ送信タイミンググループに対して１つの送信タイミング情報を通知するだけで良く、無駄な無線リソースを使用しなくて済む。
【００９３】
［第２の実施形態］
本実施形態では、基地局装置３が移動局装置１−１に送信タイミングメッセージを通知するセルを指定する方法を示す。そして、移動局装置１−１は、指定されたセルを介して送信タイミングメッセージを受信し、指定されたセル以外のセルで送信タイミングメッセージを受信した場合、その送信タイミングメッセージは無効であると判定し、破棄するようにする。このようにすることで、送信タイミングメッセージが間違って送信された場合の誤動作を防ぐことができる。
【００９４】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。尚、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９の動作は、実施形態１と同じであるので説明は省略する。
【００９５】
移動局管理部１２１は、ＵＬスケジュール部１２３、制御データ作成部１２５、制御データ解析部１２７、セル管理部１２９、ＴＡ管理部１３１から構成される。制御データ作成部１２５は、移動局装置１−１の制御データを作成する。制御データ作成部１２５は、受信ＨＡＲＱ処理部１１９からの受信データの復号結果からデータのＡＣＫ／ＮＡＣＫメッセージを作成し、また、下りリンクの無線品質を示すメッセージなどの制御データを作成し、作成した制御データを送信ＨＡＲＱ処理部１０７に出力する。制御データ解析部１２７は、受信ＨＡＲＱ処理部１１９から入力された制御データを解析する。制御データ解析部１２７は、基地局装置３から受信したセルのシステム情報やセルの割り当て情報やランダムアクセスレスポンスメッセージや上りリンク参照信号の生成情報をセル管理部１３３に出力し、送信タイミングメッセージが通知されるセル情報、送信タイミングメッセージや送信タイミングメッセージを取得したセルの情報や送信タイミングタイマー情報をＴＡ管理部１３１に出力する。
【００９６】
ＵＬスケジュール部１２３は、基地局装置３からの上りリンクデータのスケジューリング情報や送信した上りリンクデータの応答（ＡＣＫ／ＮＡＣＫ）をもとに上りリンクの各チャネルへの割り当てを行い、制御部１０９を介して送信処理部１０３、変調部１０５、送信ＨＡＲＱ処理部１０７を制御する。また、上位層からの制御情報をもとにセル管理部１２９にランダムアクセスを指示する。
【００９７】
セル管理部１２９は、基地局装置３から割り当てられたセルを管理し、基地局装置３から受信したセル毎の物理チャネルの構成や送信電力情報やランダムアクセスに関する情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソースを管理する。セル管理部１２９は、制御部１０９を介してランダムアクセスに関する情報をランダムアクセスプリアンブル生成部１１３に通知し、上りリンク参照信号の生成情報を上りリンク参照信号生成部１１１に通知する。セル管理部１２９は、送信タイミングが同じセルのグループ情報をＴＡ管理部１３１に通知する。セル管理部１２９は、通信の開始時や上りリンクデータのスケジュール要求を行なう場合、基地局装置３にランダムアクセスプリアンブルを送信するように、制御部１０９を介してランダムアクセスプリアンブル生成部１１３に指示する。
【００９８】
セル管理部１２９は、ＴＡ管理部１３１から送信タイミングタイマーが満了したことが通知された場合、制御部１０９を介して、送信ＨＡＲＱ処理部１０７に送信タイミングが満了したセルのＨＡＲＱ処理停止を指示し、送信タイミングが満了したセルの保存してあるデータの消去を指示し、上りリンク参照信号生成部１１１に送信タイミングが満了したセルの上りリンク参照信号の生成を停止するように指示する。また、セル管理部１２９は、送信タイミングが満了したセルの基地局装置３から割り当てられた上りリンク制御チャネルＰＵＣＣＨの無線リソースと上りリンク参照信号（測定用参照信号）の無線リソースを解放する。
【００９９】
ＴＡ管理部１３１は、セル毎または送信タイミンググループ毎の送信タイミングと送信タイミングタイマーを管理する。また、ＴＡ管理部１３１は、送信タイミングが同じとなるセルのグループ情報（送信タイミンググループ情報）や送信タイミングメッセージが通知されるセルも管理する。ＴＡ管理部１３１は、送信タイミングメッセージと送信タイミングメッセージを受信したセルの情報を取得した場合、基地局装置３が指定したセルかどうか確認する。そして、ＴＡ管理部１３１は、送信タイミングメッセージが基地局装置３から指定されたセルから受信したと判断した場合、送信タイミングメッセージを受信したセルがどのグループに属しているか判断し、制御部１０９を介して送信タイミングメッセージに含まれる送信タイミング情報と送信タイミングを調整するセルのグループ情報を送信処理部１０３に通知し、送信タイミングタイマーをスタート、または、リスタートする。そして、ＴＡ管理部１３１は、セル管理部１２９にセル毎に送信タイミングタイマーがスタート、または、リスタートしたことを通知する。また、ＴＡ管理部１３１は、セル毎に送信タイミングタイマーが満了した場合、セル管理部１２９に対象となるセルの送信タイミングタイマーが満了したことを通知する。尚、ＴＡ管理部１３１は、受信した送信タイミング情報が基地局装置３から指定されたセルの場合、受信した送信タイミング情報を破棄する。
【０１００】
図２は、本発明の実施形態に係る基地局装置３の構成図を示す。基地局装置３は、無線部２０１、送信処理部２０３、変調部２０５、送信ＨＡＲＱ処理部２０７、制御部２０９、下りリンク参照信号生成部２１１、プリアンブル検出部２１３、受信処理部２１５、復調部２１７、受信ＨＡＲＱ処理部２１９、基地局管理部２２１から構成される。基地局管理部２２１は、ＤＬ／ＵＬスケジュール部２２３、制御データ作成部２２５、制御データ解析部２２７、セル管理部２２９、ＴＡ管理部２３１から構成される。尚、無線部２０１、送信処理部２０３、変調部２０５、送信ＨＡＲＱ処理部２０７、制御部２０９、下りリンク参照信号生成部２１１、プリアンブル検出部２１３、受信処理部２１５、復調部２１７、受信ＨＡＲＱ処理部２１９の動作は、実施形態１と同じであるので説明は省略する。
【０１０１】
基地局管理部２２１は、下りリンク及び上りリンクのスケジュールを行なうＤＬ／ＵＬスケジュール部２２３、制御データ作成部２２５、制御データ解析部２２７、セル管理部２２９、ＴＡ管理部２３１から構成される。ＤＬ／ＵＬスケジュール部２２３は、移動局装置１−１から通知される下りリンクの無線伝搬路品質情報や上位層からの通知される各ユーザーのデータ情報や制御データ作成部２２５で作成される制御データから下りリンクの各チャネルにユーザーデータおよび制御データをマッピングする為のスケジュールを行ない、スケジュール結果を制御部２０９に渡す。また、ＤＬ／ＵＬスケジュール部２２３は、受信処理部２１５からの上りリンクの無線伝搬路品質結果と移動局装置１−１からの無線リソース割り当て要求から上りリンクの各チャネルにユーザーデータをマッピングする為のスケジュールを行なう。また、ＤＬ／ＵＬスケジュール部２２３は、プリアンブル検出部２１３からランダムアクセスプリアンブルを検出したことが通知された場合、上りリンク共用チャネルＰＵＳＣＨを割り当てて、割り当てた上りリンク共用チャネルＰＵＳＣＨとプリアンブル番号を制御データ作成部２２５に通知する。ＤＬ／ＵＬスケジュール部２２３は、ＴＡ管理部２３１から送信タイミング情報を通知された場合、移動局装置１−１の下りリンク及び上りリンクのスケジュール状況から移動局装置１−１に送信タイミング情報を通知するかどうか判定し、送信タイミング情報を通知する場合、ＴＡ管理部２３１に送信タイミング情報の通知を報告し、送信タイミング情報を制御データ作成部２２５に通知する。尚、ＤＬ／ＵＬスケジュール部２２３は、ＴＡ管理部２３１から指定されたセルで送信タイミング情報を通知するようにスケジュールを行なう。
【０１０２】
制御データ作成部２２５は、下りリンク制御チャネルＰＤＣＣＨに配置される制御データや下りリンク共用チャネルＰＤＳＣＨに配置される制御データを作成する。スケジュール情報を含んだ制御メッセージ、上りリンクデータの応答（ＡＣＫ／ＮＡＣＫ）、物理チャネルの構成情報や各チャネルの送信電力情報やランダムアクセスに関する情報などを含むシステム情報メッセージ、利用するセルの設定情報（ランダムアクセスに関する情報を含む）を含んだ初期設定メッセージ、プリアンブル番号や送信タイミング情報やスケジューリング情報を含んだランダムアクセスレスポンスメッセージ、コンテンションレゾリューションメッセージ、送信タイミングを通知するセルを指定するメッセージ、送信タイミング情報を含んだ送信タイミングメッセージなどの制御データを作成する。制御データ解析部２２９は、移動局装置１−１から送られる制御データを解析する。制御データ解析部２２９は、移動局装置１−１からの下りリンクデータの応答（ＡＣＫ／ＮＡＣＫ）結果により、制御部２０９を介して、送信ＨＡＲＱ処理部２０７を制御する。
【０１０３】
セル管理部２２９は、各セルや各セルのシステム情報（物理チャネルの構成情報や各チャネルの送信電力情報やランダムアクセスに関する情報や送信タイミングのセル関係情報など）を管理する。また、セル管理部２２９は、移動局装置１−１〜１−３に１つ以上のセルを割り当てて、また、上りリンク参照信号（測定用参照信号）の無線リソースや上りリンク制御チャネルＰＵＣＣＨの無線リソースを割り当てる。そして、セル管理部２２９は、割り当てたセルに関する情報を通知するように制御データ作成部２２５にセルの割り当て情報やセルのシステム情報、割り当てる無線リソース情報などを渡す。
【０１０４】
セル管理部２２９は、ＴＡ管理部２３１から送信タイミングタイマーが満了したことが通知された場合、制御部２０９を介して、送信ＨＡＲＱ処理部２０７に送信タイミングが満了したセルのＨＡＲＱ処理停止を指示し、送信ＨＡＲＱ記憶部２０９に送信タイミングが満了したセルの保存してあるデータの消去を指示し、移動局装置１−１に割り当てた上りリンク参照信号（測定用参照信号）の無線リソース及び上りリンク制御チャネルＰＵＣＣＨの無線リソースを解放する。
【０１０５】
ＴＡ管理部２３１は、移動局装置１−１〜１−３のセル毎の送信タイミングと送信タイミングタイマーを管理する。また、ＴＡ管理部２３１は、送信タイミングが同じとなるセル関係情報も管理する。ＴＡ管理部２３１は、移動局装置１−１〜１−３に対してどのセルで送信タイミング情報を通知するか決定し、送信タイミング情報を通知するセルをＤＬ／ＵＬスケジュール部２２３と制御データ作成部２２５に通知する。ＴＡ管理部２３１は、プリアンブル検出部２１３や受信処理部２１５から送信タイミングのずれ量を取得した場合、送信タイミング情報を作成し、制御データ作成部２２５に通知する。セル管理部２２９から送信タイミング情報の送信を通知されると送信タイミングタイマーをスタート、または、リスタートする。また、ＴＡ管理部２３１は、セル毎に送信タイミングタイマーが満了した場合、セル管理部２２９に対象となるセルの送信タイミングタイマーが満了したことを通知する。
【０１０６】
[動作説明]
図１２、図１３で説明した基地局装置が移動局装置に複数セルを割り当て、割り当てた複数のセルを介して基地局装置と移動局装置が通信を行なう無線通信システムを想定している。また、図１４で説明した移動局装置からの送信タイミングが異なる複数のセルを介して通信を行なうような無線通信システムを想定している。
【０１０７】
移動局装置１−１と基地局装置３の動作を説明する。尚、例として、基地局装置３は、図５−１のようにセル１〜セル５から構成されていて、セル１〜セル３は送信タイミングが同じ送信タイミンググループ（送信タイミンググループ１）であり、セル４〜セル５は送信タイミングが同じ別の送信タイミンググループ（送信タイミンググループ２）であるとする。
【０１０８】
移動局装置１−１は、セルサーチを行い、基地局装置３の１つのセルを見つける。ここではセル１を見つけるとする。移動局装置１−１は、セル１の報知チャネルＰＢＣＨなどを受信し、システム情報（セルの物理チャネル構成や送信電力情報やランダムアクセスに関する情報など）を取得する。そして、移動局装置１−１は、システム情報に含まれるランダムアクセスに関する情報を使用して、初期アクセスのためにセル１のランダムアクセスチャネルＲＡＣＨへランダムアクセスプリアンブルを送信する。そして、移動局装置１−１は、基地局装置３からセル１に対する送信タイミング情報を含んだランダムアクセスレスポンスメッセージを取得し、ランダムアクセスレスポンスに含まれる送信タイミング情報からセル１に対する上りリンクコンポーネントキャリアの送信タイミングを調整して、送信タイミングタイマーをスタートさせる。移動局装置１−１は、セル１を介してメッセージ３を基地局装置３へ送信する。尚、移動局装置１−１は、このメッセージ３に初期アクセスを示した内容を含めてメッセージ３を送信する。そして、移動局装置１−１は、コンテンションレゾリューションを基地局装置３から受信すると競合ベースランダムアクセス手順を終了する。
【０１０９】
ランダムアクセス手順が完了後、基地局装置３は、移動局装置１−１に使用させるセルを割り当て、セルの構成情報を通知する。尚、セルの構成情報は、第一セルのセル情報と送信タイミンググループに関する情報を示す。ここでは、図５−２のように、基地局装置３は、移動局装置１−１にセル１〜セル５を割り当てて、セル１を第一セル、セル２〜セル５を第二セルに設定し、セル１〜セル３を送信タイミングが同じ送信タイミンググループ（送信タイミンググループ１）に設定し、セル４とセル５を送信タイミングが同じ別の送信タイミンググループ（送信タイミンググループ２）に設定している。そして、移動局装置１−１に対して、セル１とセル４を介して送信タイミング情報が通知されるように設定する。
【０１１０】
そして、基地局装置３は、移動局装置１−１に割り当てたセルのシステム情報や送信タイミンググループのグループ情報、送信タイミングメッセージを通知するセルの情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの設定情報も移動局装置１−１に通知する。尚、ここでは、上記情報を通知後、基地局装置３は、移動局装置１−１にセル２〜セル５をアクティベートするように指示し、セル２〜セル５に対して下りリンクの受信処理を開始するように指示するとする。
【０１１１】
そして、移動局装置１−１は、割り当てられたセルのシステム情報や送信タイミンググループのグループ情報を取得後、取得している送信タイミンググループのグループ情報と送信タイミング情報からセル１と同じ送信タイミンググループのセル２とセル３の上りリンクの送信タイミングを調整する。この後、移動局装置１−１と基地局装置３との間でセル１〜セル５の下りリンクコンポーネントキャリアとセル１〜セル３の上りリンクコンポーネントキャリアを介してデータのやり取りがされる。
【０１１２】
移動局装置１−１からの送信データ量が多くなり、移動局装置１−１で利用していないセルがある場合、基地局装置３は、非競合ベースランダムアクセスを行うように指示するランダムアクセス指示情報を下りリンク制御チャネルＰＤＣＣＨで通知する。ここでは、基地局装置３は、セル５に対してのランダムアクセス指示情報を移動局装置１−１に通知する。ランダムアクセス指示情報には、プリアンブル番号とランダムアクセスチャネル番号が含まれており、移動局装置１−１は、基地局装置３から指定されたプリアンブルとランダムアクセスチャネルＲＡＣＨを使用して、ランダムアクセスプリアンブルをセル５のランダムアクセスチャネルＲＡＣＨに送信する。
【０１１３】
基地局装置３は、ランダムアクセスプリアンブルを検出すると、ランダムアクセスプリアンブルから送信タイミングを算出して、移動局装置１−１にセル５の下りリンクコンポーネントキャリアを介して送信タイミング情報を含んだランダムアクセスレスポンスを通知する。移動局装置１−１は、ランダムアクセスレスポンスを受信するとランダムアクセスレスポンスに含まれている送信タイミング情報をセル５の上りリンクの送信タイミングとして調整し、更に、送信タイミング情報を同じ送信タイミンググループであるセル４の上りリンクの送信タイミングとして調整し、送信タイミングタイマーをスタートする。そして、移動局装置１−１は、非競合ベースランダムアクセス手順を完了する。この後、セル４とセル５の上りリンクコンポーネントキャリアも含めて、移動局装置１−１と基地局装置３との間でデータのやり取りを行なう。
【０１１４】
移動局装置１−１は、送信タイミンググループ毎に１つの送信タイミングタイマーを持ち、送信タイミング情報を受信すると送信タイミングタイマーをスタート、またはリスタートする。基地局装置３も同様に送信タイミンググループ毎に１つの送信タイミングタイマーを持ち、送信タイミング情報を送信すると送信タイミングタイマーをスタート、またはリスタートする。送信タイミングタイマーが動作中は、上りリンク同期している（送信タイミングが有効である）状態であり、移動局装置１−１は、対象となる送信タイミンググループの上りリンクコンポーネントキャリアでの上りリンク送信が可能である。尚、送信タイミングタイマーは、セル毎に持つように構成しても良い。
【０１１５】
そして、基地局装置３は、移動局装置１−１から送信された各セルの上りリンク参照信号を計測して、移動局装置１−１の送信タイミンググループ１または送信タイミンググループ２の送信タイミングを算出する。そして、各送信タイミンググループの送信タイミングが有効である期間内に計測した送信タイミング情報を含んだ送信タイミングメッセージを移動局装置１−１に通知する。なお、送信タイミングメッセージの通知は、通知する送信タイミンググループ内の移動局装置１−１に指定したセルを介して通知する。例えば、送信タイミンググループ１の送信タイミングメッセージは、セル１を介して移動局装置１−１に通知される。移動局装置１−１は、指定されたセルで送信タイミング情報を受信すると、送信タイミング情報が通知されたセルが属する送信タイミンググループ内のすべてのセルに対して送信タイミング情報から送信タイミングを調整する。例えば、移動局装置１−１は、指定されたセル１で送信タイミングメッセージを受信した場合、送信タイミンググループ１のセル１、セル２及びセル３に対して送信タイミングを調整する。尚、移動局装置１−１は、セル２またはセル３で送信タイミングメッセージを受信した場合、指定されていないセルで受信したため、受信した送信タイミングメッセージを破棄する。
【０１１６】
上記では、第二セルのセル２〜セル５に対してアクティベートを指示し、下りリンクの受信処理を行っている状態で説明したが、基地局装置３からアクティベートの指示されていないセルがある場合、アクティベートを指示されていないセル（デアクティベートセル）に対しての送信タイミングの調整は行なわなくても良い。そして、デアクティベートセルがアクティベートを指示された場合、移動局装置１−１は、そのセルに対して送信タイミングを調整するようにする。尚、送信タイミングメッセージは、送信タイミングメッセージ単体として送られても良いし、ユーザーデータや他の制御メッセージと一緒に送られても良い。
【０１１７】
尚、送信タイミングの算出は、基地局装置３が、各セルで受信した上りリンク参照信号から算出しても良いし、各送信タイミンググループ内の特定のセルの上りリンク参照信号から算出しても良い。また、ある時点で算出された１つのセルの送信タイミングを通知する送信タイミングとしても良いし、各送信タイミンググループ内の各セルで測定された送信タイミングの平均値を送信タイミングとしても良い。
【０１１８】
送信タイミングメッセージを受信した場合の移動局装置１−１の処理フローチャートを図６に示す。移動局装置１−１は、ある１つのセルを介して送信タイミングメッセージを受信した場合、そのセルが基地局装置３から送信タイミングメッセージを通知するセルに指定されたセルかどうか確認する（ステップＳ２０１）。そのセルが、基地局装置３から送信タイミングメッセージを通知するセルに指定されている場合、そのセルが属する送信タイミンググループ内のアクティベートセルの上りリンク送信タイミングに送信タイミングメッセージに含まれる送信タイミング情報を適用する（ステップＳ２０２）。そして、送信タイミングが設定された送信タイミンググループの送信タイミングタイマーをリスタートする（ステップＳ２０３）。また、送信タイミングメッセージを受信したセルが、基地局装置３から送信タイミングメッセージを通知されるセルに指定されていない場合、取得した送信タイミングメッセージを破棄する（ステップＳ２０４）。
【０１１９】
このように構成することで、基地局装置３は、移動局装置１−１に対して１つ送信タイミンググループに対して１つの送信タイミング情報を通知するだけで良く、無駄な無線リソースを使用しなくて済む。また、移動局装置１−１は指定されたセルで送信タイミングメッセージを受信した場合のみ、送信タイミングの更新を行なうので、基地局装置３の誤送信や移動局装置１−１の誤受信等による誤動作を防ぐことができる。
【０１２０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１２１】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１２２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１２３】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１２４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１２５】
１−１〜１−３  移動局装置
３  基地局装置
５−１、５−２  リピータ
１０１、２０１  無線部
１０３、２０３  送信処理部
１１５、２１５  受信処理部
１０５、２０５  変調部
１１７，２１７  復調部
１０７、２０７  送信ＨＡＲＱ処理部
１１９、２１９  受信ＨＡＲＱ処理部
１０９、２０９  制御部
１２１  移動局管理部
２２１  基地局管理部
１２３  ＵＬスケジュール部
１２５、２２５  制御データ作成部
１２７，２２７  制御データ解析部
１２９，２２９  セル管理部
１３１，２３１  ＴＡ管理部
１１１  上りリンク参照信号生成部
２１１  下りリンク参照信号生成部
１１３  ランダムアクセスプリアンブル生成部
２１３  プリアンブル検出部
２２３  ＤＬ／ＵＬスケジュール部
【図１】
2012191466.tif 000003
【図２】
2012191466.tif 000004
【図３】
2012191466.tif 000005
【図４】
2012191466.tif 000006
【図５−１】
2012191466.tif 000007
【図５−２】
2012191466.tif 000008
【図６】
2012191466.tif 000009
【図７】
2012191466.tif 000010
【図８】
2012191466.tif 000011
【図９】
2012191466.tif 000012
【図１０】
2012191466.tif 000013
【図１１】
2012191466.tif 000014
【図１２】
2012191466.tif 000015
【図１３】
2012191466.tif 000016
【図１４】
2012191466.tif 000017